(57)【要約】  例えば180°リフォーカシングRFパルスにより分離された一組のグラジエントパルスによる拡散重み付けを適用した、磁気共鳴信号を生成するためのパルスシーケンスを利用する磁気共鳴画像化法。磁気共鳴信号は、リフォーカシングパルスによりスピンエコーとして生成される。リフォーカシングパルスは補正グラジエントパルスの横にあり、補正グラジエントパルスのグラジエント強度は周期的パターンにより交代する。
2005512648.tif 000002
【特許請求の範囲】
【請求項１】
磁気共鳴画像化方法であって、
磁気共鳴信号を生成するためにパルスシーケンスが加えられ、
前記パルスシーケンスは前記磁気共鳴信号をスピンエコー信号として生成するためのリフォーカシングパルスを含み、
前記スピンエコー信号のフェーズへの影響は個々のリフォーカシングパルスの両側に、それぞれのグラジエント強度を有した補正グラジエントパルスのそれぞれの組を置き、
前記補正グラジエントパルスのペアの異なるグラジエント強度の周期的な交代を連続するリフォーカシングパルスに適用することを特徴とする磁気共鳴画像化方法。
【請求項２】
請求項１記載の磁気共鳴画像化方法であって、
前記周期的交代は、連続するリフォーカシングパルスに対する前記補正パルスの異なる二つのグラジエント強度を交互に交代することであることを特徴とする磁気共鳴画像化方法。
【請求項３】
請求項１記載の磁気共鳴画像化方法であって、
前記パルスシーケンスは、補正グラジエントパルスが横にないリフォーカシングパルスのグループと、補正グラジエントパルスが横にあるリフォーカシングパルスのグループを含み、
離れたリフォーカシングパルスと関連するリフォーカシングパルスの個々の補正グラジエントパルスの間ではスピンエコーが起こらないことを特徴とする磁気共鳴画像化方法。
【請求項４】
請求項２記載の磁気共鳴画像化方法であって、
奇数番目のリフォーカシングパルスの後に生じたスピンエコーが奇パリティを有するスピンエコーを形成し、
偶数番目のリフォーカシングパルスの後に生じた磁気共鳴信号は、偶パリティのスピンエコーの磁気共鳴信号を形成し、
磁気共鳴画像が前記磁気共鳴信号から再構成され、
前記再構成は、奇パリティのスピンエコーによる磁気共鳴信号と偶パリティの磁気共鳴信号との間のフェーズ差にも基づき実行されることを特徴とする磁気共鳴画像化方法。
【請求項５】
請求項４記載の磁気共鳴画像化方法であって、前記パルスシーケンス中の交互に連続する磁気共鳴信号であって、前記磁気共鳴信号の一方は奇パリティのスピンエコーによるものであり、他方は偶パリティのスピンエコーによるものである磁気共鳴信号間のフェーズ差を使用することを特徴とする磁気共鳴画像化方法。
【請求項６】
請求項１または２記載の磁気共鳴画像化方法であって、連続するリフォーカシングパルス間の相互フェーズは、交替する相互フェーズの周期的に繰り返されるパターンにより、一連のリフォーカシングパルスにわたり変化することを特徴とする磁気共鳴画像化方法。
【請求項７】
請求項６記載の磁気共鳴画像化方法であって、交替する相互フェーズの前記周期的に繰り返されるパターンは相互フェーズ0°と相互フェーズ180°の交替を含む磁気共鳴画像化方法。
【請求項８】
パルスシーケンスの適用により磁気共鳴信号を生成し、
拡散重み付け動作を実行するように構成された磁気共鳴画像化システムであって、
前記パルスシーケンスは、前記磁気共鳴信号をスピンエコー信号として生成するためのリフォーカシングパルスを含み、
前記スピンエコー信号のフェーズへの影響は、それぞれのグラジエント強度を有する補正グラジエントパルスのそれぞれのペアを個々のリフォーカシングパルスの横に配置することにより適用し、
前記補正グラジエントパルスのペアの異なるグラジエント強度の周期的交替が連続するリフォーカシングパルスに使用されることを特徴とする磁気共鳴画像化システム。
【請求項９】
パルスシーケンスを実行するための命令を含むコンピュータプログラムであって、
前記パルスシーケンスはスピンエコー信号を生成するためのリフォーカシングパルスを含み、
前記スピンエコー信号のフェーズへの影響は、それぞれのグラジエント強度を有する補正グラジエントパルスのそれぞれのペアを個々のリフォーカシングパルスの横に配置することにより適用し、
前記補正グラジエントパルスのペアの異なるグラジエント強度の周期的交替が連続するリフォーカシングパルスに使用されることを特徴とするコンピュータプログラム。
【発明の詳細な説明】
【発明の詳細な説明】
【０００１】
本発明は、
−パルスシーケンス（５０）が磁気共鳴信号を生成するために適用され、
−パルスシーケンスは磁気共鳴信号をスピンエコー信号として生成するリフォーカシングパルス（５２１から５２７）を含む、
磁気共鳴画像化方法に関する。
【０００２】
この種の磁気共鳴画像化方法は、次の記事から知られている。
“Phase  insensitive  preparation  of  single-shot  RARE:  application  to  diffusion  imaging  in  humans”  by  D.C.  Alsop  in  Magnetic  Resonance  in  Medicine  38  (1997)  pp.  527-533
知られた磁気共鳴画像化方法は、ターボスピンエコー（TSE）シーケンスとも呼ばれるRARE(Rapid  Acquisition  with  Relaxation  Enhancement)シーケンスの形のパルスシーケンスを利用する。RAREシーケンスを用いて、磁気共鳴信号はスピンエコー磁気共鳴信号の形で生成される。引用した記事において、拡散重み付けを実現するように拡散グラジエントを適用したとき、空間的に変化する磁気共鳴信号のフェーズシフトが、検査する患者の、または患者内の動きにより発生し、それゆえ、スピンエコー磁気共鳴信号から再構成される磁気共鳴画像内に人為組織(artifacts)を生じさせる。このような人為組織(artifacts)を避けるため、RAREシーケンスの前にディフェージンググラジエントを適用する。さらに最初のスピンエコー磁気共鳴信号のエコー時間の中間点で、90°RFパルスを適用する。さらに、個々のリフェージンググラジエントが、各スピンエコー信号を取得する前に直接適用される。さらに、各スピンエコー磁気共鳴信号の取得後すぐに、反転グラジエントが適用される。いわゆるCPMG(Car-Purcell-Meibohm-Gill)条件を満足しないリフォーカシングシーケンスによるスピンエコー磁気共鳴信号への貢献が、このように低減される。既知の方法により、非CPMGによる貢献に起因する人為組織も避けることができる。
【０００３】
本発明の目的は、動きに敏感でない、受信した磁気共鳴信号の信号雑音比をエンハンスするマルチエコー磁気共鳴画像化方法を提供することである。
【０００４】
この目的は、本発明による磁気共鳴画像化方法であって、
−前記スピンエコー信号のフェーズへの影響は個々のリフォーカシングパルスの両側に、それぞれのグラジエント強度を有した補正グラジエントパルス（５３１、５３２、．．．、５３５、５３６）のそれぞれの組を置き、
−前記補正グラジエントパルスのペアの異なるグラジエント強度の周期的な交代を連続するリフォーカシングパルスに適用することを特徴とする磁気共鳴画像化方法により達成される。
【０００５】
スピンエコー信号のフェーズへの影響により、連続する磁気共鳴信号で、フェーズエラーがより狭い範囲にのみ伝播し、より正確に予測できるようにすることが達成される。より具体的に、例えば、次の記事
“Phase  insensitive  preparation  of  single-shot  RARE:  application  to  diffusion  imaging  in  humans”  by  D.C.  Alsop  in  Magnetic  Resonance  in  Medicine  38  (1997)  pp.  527-533
から知られるように、補正グラジエントパルスを使わない磁気共鳴画像化方法において生じるフェーズエラーよりもフェーズエラーが非常に小さく、より正確に予測可能である。これらのフェーズエラーは、磁気共鳴信号を生成するパルスシーケンスに先立つ様々な初期化動作により生じるようである。初期化動作が拡散重み付けにかかわるとき、拡散重み付けの不正確さと、拡散重み付けの間の検査対象の動きにより、フェーズエラーが生じる。パルスシーケンスの前のバイポーラグラジエントパルスペアまたは180°RFパルスにより分離された同じ符号を有するグラジエントパルスのペアにより、拡散重み付けが生成されてもよい。初期化動作の他の例は、T2＊-weighted信号振幅を生成するように異なったエコースペーシングで磁気共鳴信号の生成を可能とするように、より早いRF励起の適用に関する。本発明は、メイン（B0）フィールドの変化により生じるフェーズ変化の削減を達成する。初期化動作のさらなる例は、フェーズコントラスト血管造影のように、フェーズコントラスト画像化を可能とするようにフローエンコーディングを課することに関する。この例において、本発明は付加したフェーズ変化のより正確な計測と意図しないフェーズエラーの低減を達成する。リフォーカシングパルスの不完全性は、不完全なリフォーカシングパルスの後の励起されたエコーを生じることが可能な意図しない縦方向の磁化成分を生じる。直接かつ励起されたエコーの特筆すべきフェーズミキシングは、連続するリフォーカシングパルスの補正グラジエントパルスの組のグラジエント強度の周期的な交代により避けられる。フェーズへの影響は、好ましくは、リフォーカシングパルスの一部を補正グラジエントパルスの横におくことにより実現される。補正グラジエントパルスの方向は同じであるが、補正グラジエントが向いている方向はランダムに選べる。リフォーカシングパルスには、毎回、補正グラジエントパルスのペアが横に置かれ、すなわち、ペアをなす補正グラジエントパルスの一方が関係するリフォーカシングパルスの前に置かれ、一方、同じペアをなす補正グラジエントパルスの他方が関係するリフォーカシングパルスの後ろに置かれる。その場合、リフォーカシングパルス間と、その関係するリフォーカシングパルスに関連したペアの補正グラジエントパルスの間では磁気共鳴信号の取得は生じない。
【０００６】
本発明のこれらの態様等が、独立項において定義された以下の実施形態に基づき詳細に説明される。
【０００７】
本発明によると、一組の補正グラジエントパルスが両横にあるリフォーカシングパルスと、補正グラジエントパルスが両横にないリフォーカシングパルスが、交代で続く。補正グラジエントパルスが両横にないリフォーカシングパルスとは、要するにグラジエント強度がゼロの補正グラジエントパルスということである。補正グラジエントパルスが両横にあるものとないものとが交互になるので、ダイレクトな励起されたエコーのフェーズミキシングが避けられる。補正グラジエントパルスは、スピンエコーを形成するスピンの与えられた程度のディフェージングおよびリフェージングを生じる。スピンエコーへの貢献は、リフォーカシング効果を奇数回または偶数回経験したかにより、奇パリティと偶パリティに分かれる。スピンエコーにおける同じパリティの貢献は、毎回同じフェーズエラーを伝播することが発見された。本発明によると、スピンエコー磁気共鳴信号のフェーズは、補正グラジエントパルスが両横にあるリフォーカシングパルスとないリフォーカシングパルスを交互に並べることにより、毎回の同じパリティのスピンエコーへの貢献が、好適に予測可能なように実際にいつもフェーズエラーがしばしば小さくとどまり変化するようなスピンエコー磁気共鳴信号を形成するように影響をうける。補正グラジエントパルスが両横にあるリフォーカシングパルスとないリフォーカシングパルスの交互配列が使用されると、奇パリティと偶パリティを有するスピンエコーにより、スピンエコー磁気共鳴信号の間に、交互に通常は比較的小さいフェーズエラーが発生することが顕著に発見された。
【０００８】
他のパルス、例えば補正グラジエントパルスと読み出しグラジエントなどのグラジエントパルスは、パルスシーケンス中のリフォーカシングパルスの間に適用することができる。しかし、グラジエントパルスが横にないグループのリフォーカシングパルスの後の第1のリフォーカシングパルスが、グラジエントパルスが横にあるグループのリフォーカシングパルスであるとき、そしてグラジエントパルスが横にあるグループのリフォーカシングパルスがグラジエントパルスが横にないグループのリフォーカシングパルスであるとき、好適な結果が顕著に得られる。その結果、連続する磁気共鳴信号間で振動するフェーズエラーだけが残り、長い期間増加しない。結果として、フェーズエラーは正確に予測可能のままであり、再構成中に簡単に修正することができる。
【０００９】
補正グラジエントパルスのペアの両方のメンバーのできるだけ等しい時間積分を用いることにより、特に好ましい結果が得られる。結果として、パルスシーケンスの開始においていかなるフェーズエラーも、リフォーカシングパルスによりスピンエコー磁気共鳴信号として生成される、連続する磁気共鳴信号の振動するフェーズエラーのみを生じさせることができる。そのような振動するフェーズエラーの結果は正確に修正することができる。
【００１０】
そのような振動するフェーズエラーの結果を補正するために、フェーズ差は奇数個のリフォーカシングパルスと偶数個のリフォーカシングパルスの後にそれぞれ生成される磁気共鳴信号の間に決定される。すなわち、補正グラジエントパルスが横にあるグループとないグループの中の、奇数個のリフォーカシングパルスと偶数個のリフォーカシングパルスの後のスピンエコー磁気共鳴信号として生成される磁気共鳴信号の間に決定される。交互に配置された補正グラジエントパルスが横にないリフォーカシングパルスと横にあるリフォーカシングの場合、磁気共鳴信号は、奇と偶パリティからのスピンエコー貢献から、すなわち、補正グラジエントパルスが横にあるまたはないリフォーカシングパルスの直後に毎回得られる。奇と偶のパリティを有したスピンエコーによる磁気共鳴信号間のフェーズ差は、磁気共鳴画像の再構成で計算に入れられる。グラジエントパルスが横にないリフォーカシングパルスとあるリフォーカシングパルスが交替するとき、奇と偶のパリティを有するスピンエコーによる連続する磁気共鳴信号間のフェーズ差を取り込むことにより、好ましい結果が顕著に得られる。このフェーズ差は、例えば、グラジエントパルスが横にないリフォーカシングパルスの一つと横にあるリフォーカシングパルスの一つの後に、フェーズエンコードされていないいわゆるナビゲータエコーを形成することにより、得られる。奇と偶のパリティを有したこれらのナビゲータスピンエコーにより、連続する磁気共鳴信号間のフェーズ差は、振動するフェーズエラーを正確に表す。磁気共鳴画像の再構成において、「ゴースト画像」はこのフェーズ差に基づき顕著に避けることができる。好ましくは、振動するフェーズエラーの修正は、例えば、異なるパリティを有するナビゲータスピンエコーの形で、二つの連続する磁気共鳴信号間のフェーズ差の半分として取得される。
【００１１】
好ましくは、リフォーカシングパルスのフェーズは、連続するリフォーカシングパルス間の好ましくは0°と180°の相互フェーズの周期的リカレントパターンにのっとり、変化する。フェーズ差の交替は、リフォーカシングパルスによりスピンが回転する軸の方向の交替ということになる。連続するスピンエコーの振幅の減少は、かなりの程度避けられることが分かった。特に、パターン
［0,0,180,180］
の繰り返しにより好適な結果が得られる。より複雑なパターン
［0,0,180,180,180,0,0,180,180,180,0,0,0,180,180,0］
の繰り返しによりさらにより良い結果が得られる。さらにより長いパターンが、周期的に常に変化するフェーズ差に基づき生成されることができる。
【００１２】
スピンエコー磁気共鳴信号の形の二つの磁気共鳴信号間のフェーズ差は、両方ともグラジエントパルスが横にあるリフォーカシングパルスにより生じたものであっても、横にないリフォーカシングパルスにより生じたものであっても、フェーズエラーが完全に低減されていない限り、これを単調増加させる。補正グラジエントパルスにより生じた渦電流は、顕著に、単調に増加するフェーズエラーに導く。それゆえ、リフォーカシングパルス相互間のフェーズを適合することにより、残留した単調に増加する小さいフェーズエラーを修正することができる。単調に増加するフェーズエラーのこの値は、グラジエントパルスが横にあるリフォーカシングパルスと横にないリフォーカシングパルスが交替する場合に特に正確である。
【００１３】
渦電流により生じたフェーズエラーの修正を実行するために、補正グラジエントパルスによって顕著に、拡散重み付けされたパルスシーケンスの前と後に適用することができる、準備パルスシーケンスが好ましくは使用される。準備パルスシーケンスは、この場合、準備スピンエコー磁気共鳴信号である準備磁気共鳴信号を生成する。準備パルスシーケンスは、拡散重み付けは含まないが、拡散重み付けされたパルスシーケンスに続くパルスシーケンスと同一である。準備スピンエコー磁気共鳴信号から、拡散重み付けされたパルスシーケンスのリフォーカシングパルスのフェーズが渦電流によりフェーズエラーに反応するように適合されることによるフェーズ差を決定される。拡散重み付けされたパルスシーケンスのような、他のパルスシーケンスの修正のための準備パルスシーケンスの適用は、それ自体、国際出願WO99/53343から知ることができる。
【００１４】
本発明は、磁気共鳴画像化システムにも関する。本発明による磁気共鳴画像化システムは請求項８に記載されている。本発明による磁気共鳴画像化システムは本発明による磁気共鳴画像化方法を実行可能とする。本発明はコンピュータプログラムにも関する。本発明によるコンピュータプログラムは、磁気共鳴画像化システムのコンピュータのワーキングメモリにロードできる。磁気共鳴画像化システムは、それゆえ、本発明による磁気共鳴画像化方法を好適に実行可能となる。しかし、その場合、磁気共鳴画像化システムに拡散重み付け動作を実行させる必要はある。しかし、そのような拡散重み付けは、それ自体知られており、拡散重み付け動作を実行する命令は、磁気共鳴画像化システムのコンピュータにすでにそれ自体取り入れられている。
【００１５】
本発明のこれらの態様等は、以下の実施形態に基づき、添付した図面を参照して、例により詳しく説明される。
【００１６】
図１は本発明が使用される磁気共鳴画像化システムを示す図である。磁気共鳴画像化システムは、一定の均一な磁場を発生する一組の主コイル１０を含む。主コイルは、例えば、トンネル型の検査空間を有するように作られている。検査を受ける患者は、このトンネル型の検査空間に入れられる。磁気共鳴画像化システムには、多数のグラジエントコイル１１、１２が含まれており、異なる方向に著しく一時的なグラジエントの形で空間的バリエーションを持った磁場が、一様な磁場に重ね合わせられる。グラジエントコイル１１、１２は、コントローラブルな電源ユニット２１に接続されている。グラジエントコイル１１、１２は、電源ユニット２１により電流を印加されることにより励起される。グラジエントの強さ、方向、長さは電源ユニットを制御することにより制御される。磁気共鳴画像化システムは、RF励起パルスを発生する送信コイル１３と、磁気共鳴信号を受信する受信コイル１５を含む。RF励起パルスは、一定の磁場中にある検査対象または検査される患者の（核）スピンを励起する。その後、励起された（核）スピンは、磁気共鳴信号を放射しながら緩和する。磁気共鳴信号はフリーインダクションディケイ（FID）信号であるが、しかし、磁気共鳴エコーが生成されてもよい。特に、スピンエコー信号は、リフォーカシングRFパルスの適用により生成できる。一時的なグラジエント場を適用することによりグラジエントエコー信号を生成することも可能である。一時的なグラジエント場を適用することにより、磁気共鳴信号の空間的なエンコーディングをすることができる。送信コイル１３は、好ましくは、検査対象（の一部）を囲むことができるボディコイル１３として構成される。ボディコイルは、通常、磁気共鳴画像化システム中におかれた患者３０がボディコイル１３内にあるように、磁気共鳴画像化システム内に配置される。ボディコイル１３は、RF励起パルスとRFリフォーカシングパルスの送信用の送信アンテナとして働く。ボディコイル１３は、好ましくは、送信されたRFパルスの強度分布が空間的に均一である。通常、同一のコイルまたはアンテナが送信コイルおよび受信コイルとして交互に使用される。さらに、送信受信コイルは通常コイルとして形成されているが、送信受信コイルがRF電磁信号の送信受信アンテナとして機能する他の形でもよい。送信受信コイル１３は、電子送信／受信回路１５に接続されている。
【００１７】
磁気共鳴画像化システムは、例えば、（マイクロ）プロセッサーを有し、本発明による磁気共鳴画像化方法を実行するための命令を伴うコンピュータプログラムを記憶するコンピュータの形の、コントロールユニット２０も含む。コントロールユニット２０は、励起パルスとリフォーカシングパルスのようなRFパルスを制御する。さらに、コントロールユニットは、一時的な磁気グラジエントフィールドの形のグラジエントパルスを制御する。コントロールユニット２０は、補正グラジエントパルスによって、補正グラジエントパルスが横にあるグループのリフォーカシングパルスを作る。さらにまた、コントロールユニット２０は、連続するリフォーカシングパルス相互のフェーズを制御する。また、コントロールユニット２０は、第1と第2のグループの磁気共鳴信号間のフェーズの差δの測定を制御する。コントロールユニット２０は、「ゴーストイメージ」を避けるために磁気共鳴画像の再構成の間、フェーズ差が計算に入れられるように、再構成ユニット２５に測定したフェーズ差を与える。
【００１８】
分離した受信コイルを用いることも可能であることは、特に注意すべきである。例えば、表面コイルを受信コイルとして使用可能である。このような表面コイルは、比較的小さい空間領域において高い感度をもつ。表面コイル等の送信コイルは、デモジュレータ２４に接続され、受信された磁気共鳴信号（RFS）はデモジュレータ２４により復調される。復調された磁気共鳴信号（DMS）は、再構成ユニットに与えられる。受信コイルは、プリアンプ２３に接続されている。プリアンプ２３は、受信コイルにより受信されたRF共鳴信号（RFS）を増幅し、増幅されたRF共鳴信号はデモジュレータ２４に与えられる。デモジュレータ２４は、増幅されたRF共鳴信号を復調する。復調された共鳴信号は、画像化対象の一部のローカルスピンデンシティに関する実際の情報を含む。さらに、送信受信回路１５は、モデュレータ２２に接続されている。モデュレータ２２と送信／受信回路１５は、RF励起パルスとリフォーカシングパルスを送信するように、送信コイル１３を励起する。再構成ユニットは、検査対象の画像化された部分の画像情報を表す、一以上の画像信号を、復号された磁気共鳴信号（DMS）から導出する。実際、再構成ユニット２５は、好ましくは、画像化対象の一部の画像情報を表す復調された磁気共鳴信号から画像信号を形成するためにプログラムされた、デジタル画像処理ユニット２５として構成される。再構成ユニットの出力の信号は、3次元密度分布または分光スペクトル情報が表示されるように、モニター２６に与えらる。再構成ユニットからの信号を、さらに処理するため、バッファーユニット２７に記憶することも可能である。
【００１９】
図２は、本発明による磁気共鳴画像化方法のパルスシーケンスの例を示す図である。パルスシーケンス５０は、この例では90°RFパルスである励起パルス６０で始まる。その後、一組のグラジエントパルス５３１と５３２が両横にある180°RFパルスにより拡散重み付け動作５１が実行される。この種の拡散重み付けは、それ自体知られており、次のハンドブックにより詳しく説明されている。
“Magnetic  Resonance  Imaging”  by  M.T.  Vlaardingerbroek  and  J.A.  den  Boer  (section  7.6)
その後、毎回180°RFパルスの形で、一連のリフォーカシングパルスが適用される。これらのリフォーカシングパルスは、毎回、スピンエコー磁気共鳴信号６１０、６１１−６１７を生じさせる。さらにまた、読み出しグラジエントとフェーズエンコーディンググラジエントを用いて、スピンエコー磁気共鳴信号が空間的にエンコードされる。リフォーカシングパルスには、交互に、補正グラジエントパルス５３１、５３２、．．．、５３５、５３６が両側に置かれる。例えば、180°RFパルス５２２は、補正グラジエント５３１、５３２が両側に置かれている。それゆえ、180°RFパルス５２２は、補正グラジエントが横に置かれたリフォーカシングパルスのグループの一部である。図２に示した例において、補正グラジエントパルスが横に置かれたリフォーカシングパルスのグループは、180°RFパルス５２２、５２４、５２６で形成されている。補正グラジエントパルスが横に置かれていないリフォーカシングパルスのグループは、180°RFパルス５２１、５２３、５２５、５２７により形成されている。奇パリティと偶パリティを有するスピンエコーの第1の磁気共鳴信号を形成するスピンエコー６１０と６１１は、フェーズナビゲータエコーとして、すなわちフェーズエンコーディングを適用しないで、取得される。奇パリティと偶パリティを有する第1のスピンエコー６１０と６１１がフェーズナビゲータエコーとして使用されるとき、フェーズエラーを修正した磁気共鳴画像の再構成に好適なスピンエコー磁気共鳴信号の取得は、拡散重み付け動作５１のすぐ後に開始可能である。フェーズナビゲータエコーの取得のために使った時間は、既知の方法によって90°RFパルスを付加するのに使われた時間より長くはない。残りのフェーズ差δは、これらのフェーズナビゲータエコーから決定される。図２は、本発明により交互に補正グラジエントパルスが横に置かれたリフォーカシングパルスが使われたときに残る、残留フェーズエラーも示す。残留フェーズエラーは±δの値を交互にとる。このフェーズエラーは、磁気共鳴信号から磁気共鳴画像の再構成をする間に修正される。
【図面の簡単な説明】
【００２０】
【図１】本発明が使用される磁気共鳴画像化システムを示す図である。
【図２】本発明による磁気共鳴画像化方法のパルスシーケンスの例を示す図である。
【図１】
2005512648.tif 000003
【図２】
2005512648.tif 000004
【国際調査報告】
2005512648.tif 000005
2005512648.tif 000006